(57)【特許請求の範囲】
【請求項１】
温水循環清澄材を充填した濾過槽が内蔵されている本体部と、この本体部に着脱自在なジェッターケース内に収容された温水吸排部とからなる温水浴槽用温水循環装置において、
前記温水吸排部は、温水吸引部と温水吐出部とからなり、
この温水吐出部は、前記濾過槽にホースを介して連通する大径の温水吐出管と、この温水吐出管内に同心に配管固定された小径のエア供給管とからなり、この温水吐出管の温水吐出口に水密に円筒状ジェットノズルが装着されて、エアエジェクタを構成しており、
前記温水吐出管の温水吐出口近傍にはこのエア供給管の先端部が位置し、このエア供給管の後端部は外気に連通するエアホースに接続してあり、
この温水吐出管はＬ字型に屈曲しており、その根元側の軸線を垂直方向とし、前記円筒状ジェットノズル側を水平に位置させ、この温水吐出管の水平部を前記ジェッターケースの一部に水平に形成した案内溝に沿い、所望範囲内で移動可能とし、かつ前記温水吐出管の根元側の垂直軸線周りに回動自在としてあることを特徴とする浴槽用温水循環装置。
【請求項２】
前記エア供給管はその後端部において前記温水吐出管に対して着脱自在に固定されていることを特徴とする請求項１記載の浴槽用温水循環装置。
【請求項３】
前記エアホースは弾性を有し、前記温水吐出管の接続部に水密に接続自在としてあることを特徴とする請求項１又は２記載の浴槽用温水循環装置。
【請求項４】
前記円筒状ジェットノズルに対してハンディマッサージャーのホースが継手を介して着脱自在に接続可能としてあることを特徴とする請求項１、２又は３記載の浴槽用温水循環装置。
【発明の詳細な説明】
【０００１】
【産業上の利用分野】
この発明は、浴槽用温水循環装置に関する。
【０００２】
【従来の技術】
この発明は、浴槽用温水循環装置は多数出願され、公開されている。その一例として実開平２−１３７６６４号公報がある。
【０００３】
【発明が解決しようとする課題】
前記公報に記載された温水循環式浴槽装置における噴射−吸入部材は、吸入口と、噴射口と、これ等が装着された浴槽内ケーシングに温水清澄材が内蔵されているものであり、浴槽内ケーシングが大型化する傾向にある。
この発明は、前記課題を解決し、清澄材を浴槽内ケーシングに収容することなく、かつ温水噴射流を、その流量を減少することなく容易にジェット流化するようにした浴槽用温水循環装置を市場に提供することを目的とする。
【０００４】
【課題を解決するための手段】
前記課題を解決するために、この特定発明は温水循環清澄材を充填した濾過槽が内蔵されている本体部と、この本体部に着脱自在なジェッターケース内に収容された温水吸排部とからなる温水浴槽用温水循環装置において、
前記温水吸排部は、温水吸引部と温水吐出部とからなり、
この温水吐出部は、前記濾過槽にホースを介して連通する大径の温水吐出管と、この温水吐出管内に同心に配管固定された小径のエア供給管とからなり、この温水吐出管の温水吐出口に水密に円筒状ジェットノズルが装着されて、エアエジェクタを構成しており、
前記温水吐出管の温水吐出口近傍にはこのエア供給管の先端部が位置し、このエア供給管の後端部は外気に連通するエアホースに接続してあり、
この温水吐出管はＬ字型に屈曲しており、その根元側の軸線を垂直方向とし、前記円筒状ジェットノズル側を水平に位置させ、この温水吐出管の水平部を前記ジェッターケースの一部に水平に形成した案内溝に沿い、所望範囲内で移動可能とし、かつ前記温水吐出管の根元側の垂直軸線周りに回動自在としてあることを特徴とする浴槽用温水循環装置とする。
前記課題を解決するために、この浴槽用温水循環装置における前記エア供給管はその後端部において前記温水吐出管に対して着脱自在に固定されていることを特徴とすることが好ましい。
前記課題を解決するために、この浴槽用温水循環装置における前記エアホースは弾性を有し、前記温水吐出管の接続部に水密に接続自在としてあることを特徴とすることが水漏れ防止上好ましい。
前記課題を解決するために、この浴槽用温水循環装置における円筒ノズルに対して、ハンディマッサージャー
のホースが継手を介して着脱自在に接続可能としてあることを特徴とすることが、ハンディマッサージャーの操作上都合が良い。
【０００５】
作用
請求項１に記載された発明の作用をその使用方法と共に次に説明する。
先ず前記本体部を浴槽の三角コーナ部などに載置固定する。
次いで、この本体部に対して温水吸排部をホースにより接続し、温水吸排部を浴槽水内に位置させる。
この状態で前記本体部内に設けたポンプを始動させて、前記温水吸引部から温水を吸引し、ホースを介してこの本体部内に内蔵された濾過槽中の温水循環清澄材に通す。この温水循環清澄材により清浄化された温水は、ホースを介して温水吐出管を通して円筒状ジェットノズルから浴槽内へ吐出される。
この際、前記温水吐出口において温水吐出管を流れる温水は絞られ、この際温水中に負圧が発生し、この負圧により温水中に前記エアホースを通して吸引された外気に流入し、その温水吐出口からエアジェット流として温水は吐出される。
この吐出方向は、温水吐出管を前記温水吐出管の根元側の垂直軸線周りに手動で回動することで任意に変更され、入浴者の腰部等をマッサージする。
【０００６】
請求項２に記載された発明の作用は、請求項１に記載された発明の作用に加えて、エア供給管は、温水の流れに抗して、前記温水吐出管内に着脱自在に固定保持される。
エア供給管を交換する時には、この固定を解除し、前記温水吐出管の温水吐出口から取り出し交換する。
請求項３記載の発明においては、請求項１、２記載の発明の作用に加えて温水吐出管の接続部に弾性ホースを水密に接続し、ジェッターケース内に水漏れすることなく、前記濾過槽からの清澄水である温水全量を温水吐出管に流入させる。
【０００７】
請求項４記載の発明においては請求項１、２、３記載の発明の作用に加えて、継手を介して、ハンディマッサージャーを使用者、殊に入浴者は把持し、任意の方向にこのハンディマッサージャーの温水吐出部を向けて、腕、首などを温水によりマッサージする。この際、エアは温水中に吸引されない。
【０００８】
【実施例】
実施例１
この実施例は請求項１、２及び３に記載された発明の代表的な実施例である。
図１において、Ａは浴槽縁部（図示せず）に載置、固定される温水循環清澄材を充填した濾過槽２４が内蔵されている本体部Ｂと、この本体部Ｂに着脱自在なジェッターケース２０内に収容された温水吸排部Ｃとからなる浴槽用温水循環装置を示す。
前記温水吸排部Ｃは、温水吸引部２１と温水吐出部３０とからなる。
この温水吐出部３０は、前記濾過槽２４に略垂直な弾性ホース３１を介して、その後端部において連通する大径の温水吐出管３２と、この温水吐出管３２内に同心に配管された小径のエア供給管３３とからなり、このエア供給管３３の先端部は前記温水吐出管３２の温水吐出口近傍に位置し、このエア供給管３３の後端部は外気に連通するエアホース３４に接続され、エア供給管の先端部周囲で前記温水吐出部３２の温水吐出口は、温水の流路が絞られる形状として、エアジェクタを構成している。
前記温水吸引部２１は前記本体部Ｂ内に設けたポンプＰの一次側に配管接続されている。
前記エア供給管３３の後端部は、温水吐出管３２に対して着脱自在に固定されている。
即ち、前記温水吐出管３２は略全体Ｌ字形を呈し、この垂直管部３２ａに前記ホース３１が着脱自在で水密に接続され、その水平管部３２ｂの先端に温水吐出用の円筒状ジェットノズル３５が着脱自在に水密に装着され、この温水吐出管２３の水平管部３２ｂの先端寄りにはジェッタ−ケース２０に沿い形成した水平な案内溝（図３）の上下内面に当接する顎３６が上下に張出して一体に形成され、この案内溝に添い所望範囲内で移動可能とするとともに、前記ジェットノズル３５の取付部のみがジェッターケース２０から突出する形状としてある（図３参照）。更に前記温水吐出管３２は前記ホース３１の垂直軸線周りに所望範囲で回動自在としてある。
この水平管部３２ｂの先端と反対側の端部即ちこのＬ字形温水吐出管３２のコーナ部からこの水平管部の軸線に沿い外方にエアホース取付用の接続用中空フランジ３７が突出しており、この中空フランジ３７の上面に前記エアホース３４接続用のパイプ３８が起立貫通して設けてあり、このフランジ３７の側面には、前記エア供給管エア固定用のネジ３９がねじ込まれるめねじが刻設された突起部６０が設けてある（図２、図３及び図４参照）。
【０００９】
実施例２
この実施例は、請求項４記載の発明の代表的実施例であり、実施例１と異なるところは、前記ジェットノズル３５の外周面に、継手５０を介してハンディマッサージャー４０のホース４１が着脱自在に水密に嵌め込まれ、接続される（図５参照）。
その他、実施例１と同一の符号は同一の構成作用を示す。
各実施例の作用は対応する請求項に記載された発明の作用と同じため、ここでの説明は省略する。
【００１０】
【発明の効果】
請求項１に記載された発明においては、温水吐出管中に配したエア供給管を通り吸引されるエアを前記温水吐出管を流れる清浄化された温水中に混入し、簡易にエアジェット流を形成して、その吐出口からエアジェット流として清浄化した温水を吐出できる。
また、温水吐出管に蛇腹部を形成する必要がなくその構造を簡略化できる。
【００１１】
請求項２に記載された発明の効果は、請求項１に記載された発明の効果に加えて、エア供給管を温水の流れに抗して温水吐出管内に、ジェット流の流れに支障なく固定保持できる。
また、後端部の固定を解放することで簡易にエア供給管を交換できる。
【００１２】
請求項３記載の発明においては、請求項１、２記載発明の効果に加えて、前記ホースは弾性を有し、前記温水吐出管の接続部に水密に接続自在としてあることを特徴としてあるため、濾過槽で清澄化された温水を、このホースと温水吐出管の接続部から漏出することなく、全量をこの温水吐出口からジェット流として吐出できる。
請求項４に記載された発明の効果は、請求項１、２、３に記載された発明の効果に加えて、温水吐出口の向きに係らずに、ハンディマッサージャーの姿勢を自在に変更し、マッサージすべき箇所に確実に清浄化した温水を吹き付けることができる。
各実施例は対応する請求項に記載された発明の効果を発揮できると共に、ジエッターケース２０の内面に前記顎３６が当接するため、この温水吐出管３２をジェッターケース２０の案内溝に沿い、円滑に案内回動できる。
【図面の簡単な説明】
【図１】実施例１の一部省略した分解斜視図である。
【図２】図１の温水吐出部分の分解斜視図である。
【図３】図２の一部省略組体正面図である。
【図４】図３の一部破断正面図である。
【図５】実施例２の概略図である。
【符号の説明】
３２    温水吐出管
３３    エア供給管
【図１】
0003592400.tif 000002
【図２】
0003592400.tif 000003
【図３】
0003592400.tif 000004
【図４】
0003592400.tif 000005
【図５】
0003592400.tif 000006